Podtech/llm-jp-corpus-v4-ja_patent huggingface dataset:
(57)【要約】      （修正有）【課題】名刺入れの上に名刺を置いても滑り落ちたりしない名刺入れを提供する。【解決手段】名刺入れの表面に、差し込み部分３を設ける。【選択図】図１
2007050201.tif 000002
【特許請求の範囲】
【請求項１】
表面に名刺差し込み部分を設けたことを特徴とする名刺入れ。
【発明の詳細な説明】
【技術分野】
【０００１】  この発明は、名刺入れの形状に関する。
【背景技術】
【０００２】  従来の名刺入れの形状は、ほとんどが名刺を収納するためだけのものである。
【発明の開示】
【発明が解決しようとする課題】
【０００３】しかしながら、以上の技術によれば、名刺交換した後に相手の名刺を名刺入れの上に置くと滑り落ちたりする。
そこで、この発明は、名刺入れの上に名刺を置いても滑り落ちたりしない名刺入れを提供することを課題とする。
【課題を解決するための手段】
【０００４】  以上の課題を解決するために、名刺入れの表面に名刺を差し込む部分を設けたことを特徴とする名刺入れである。
【発明の効果】
【０００５】  この発明によれば、名刺入れの表面に名刺を差し込む部分を設けたので、名刺が滑り落ちる事がなくなった。
【発明を実施するための最良の形態】
【０００６】  この発明の一実施形態を、図１・図２・図３に示す。
名刺入れの本体１は革製であり、この本体１の表面には、差し込み部分３が一体的に設けられている。この差し込み部分３には名刺２が差し込めるようになっている。【０００７】「実施形態の効果」
この実施形態によれば、差し込み部分３の働きで、名刺２を差し込む事ができる。したがって、名刺が滑り落ちる事がなくなる。【０００８】「他の実施形態」
図１・図２・図３の実施形態では、差し込み部分３はポケット状であったが、他の実施形態では、ゴム等で挟めるものでも良い。
【図面の簡単な説明】
【０００９】
【図１】この発明の一実施形態を示す斜視図である。
【図２】この発明の一実施形態を示す斜視図である。
【図３】この発明の一実施形態を示す斜視図である。
【図４】従来技術を示す斜視図である。
【符号の説明】
【００１０】    １  名刺入れ本体            ２  名刺
３  差し込み部分
【図１】
2007050201.tif 000003
【図２】
2007050201.tif 000004
【図３】
2007050201.tif 000005
【図４】
2007050201.tif 000006
(57)【要約】【課題】  陳列角度を４５度ごとの位置で設定できるような機構を持つハンガーを提供することである。【解決手段】  均等に８分割された溝を持つキューブをハンガー本体のフック装着部に埋め込む。差し込まれるフックの下部の一部をつぶし平面化する。その平面化した部分を持つフックを、均等に８分割された溝と嵌合されるように装着する。フックを回転させながら、４５度ごとの位置で固定する。【選択図】      図１
2007050208.tif 000002
【特許請求の範囲】
【請求項１】
衣料用ハンガーにおいて、特に店舗内陳列の際、商品をより多く陳列するため、ハンガー本体のフックの取り付け部に均等に８分割された溝を持つキューブを埋め込む。その均等に８分割された溝を持つキューブを設置することにより、確実にフックの位置を４５度ごとに設定可能にする。埋め込まれたキューブの溝にフックの差し込み部を定着させるために、フックの下部の一部をつぶし、キューブの溝幅よりやや薄めになるようにたたき平面化する。そのフック部と埋め込まれた均等に８分割された溝を持つキューブの嵌合により、フックの位置決めを４５度単位で調節できる機能を持った衣料用ハンガー。
【発明の詳細な説明】
【技術分野】
【０００１】        衣料用ハンガーのフック角度の調整機構に類する。
【背景技術】
【０００２】        従来の衣料用ハンガーではフックの角度調整は完全にフリー、つまり３６０度の中でどこにでも設定できるものと、９０度の角度で設定できるものがある。ただし、任意で４５度の位置に設定できるものは紹介されていない。
【発明の開示】
【発明が解決しようとする課題】
【０００３】        店舗内で衣料の展示をする際に、展示スペースを効率よく、且つ、商品を幅広く見せるためにフックの角度を４５度の位置にも固定できるような機能を持つ衣料用のハンガーを紹介することである。
【課題を解決するための手段】
【０００４】        衣料用ハンガーの本体４ネック部に均等に８分割された溝を持つキューブ１を埋め込む。その均等に８分割された溝２に適合するように、フック５の下部の一部をつぶし平面化する。そのフック５を回転させながら、そのフック５のつぶされて平面化されたフック部６を均等に８分割された溝２の一箇所と嵌合させ、位置決めをする。この動作によりフック５の角度が決定され、展示品の正面方向が４５度の単位で設定できるようになる。
【発明の効果】
【０００５】        従来のハンガーの陳列手段では得られなかった、商品を多く陳列でき、商品本体の姿の紹介も広い範囲で見せることができるようになる。【０００６】        均等に８分割された溝を持つキューブ１と、つぶされ平面化されたフック部６を持つフック５との嵌合により、商品の位置が常に一定位置に保たれ、常に商品の紹介の角度が保持でき販売効果が維持できるようになる。
【実施例】
【０００７】        〔図１〕のような均等に８分割された溝を持つキューブ１を〔図５〕のようにハンガー本体４に埋め込む。【０００８】        〔図２〕で表されるように、埋め込まれた均等に８分割された溝を持つキューブ１はハンガー本体４下部でキューブの脱落を防ぐストッパー３により、脱落しないように支えられる。【０００９】        〔図３〕で示されるように、フック５の角度は０度、４５度、９０度と溝の選択により調整が可能となる。〔図３〕中央図のように、４５度の角度で固定することにより、商品の紹介が容易に広い範囲で可能になる。【００１０】        〔図４〕のフック５の形状であらわされるように、均等に８分割された溝を持つキューブ１に設けられた溝との嵌合を行わせるために、つぶされ平面化されたフック部６を溝幅に適合するような幅で設ける。
【図面の簡単な説明】
【００１１】
【図１】  ハンガー本体に埋め込まれる均等に８分割された溝を持つキューブの形状をあらわす図である。
【図２】  キューブを設置して下部からストッパーで脱落を防ぐようにされたときの図である。
【図３】  フックの位置を溝に沿って、０度、４５度、９０度に固定したときの図である。
【図４】  均等に８分割された溝に嵌合させるために下をつぶされ平面化されたフック部とフック全体の形状をあらわす図である。
【図５】  均等に８分割された溝を持つキューブがハンガー本体に埋め込まれたときの図である。
【符号の説明】
１．均等に８分割された溝を持つキューブ
２．均等に８分割された溝
３．キューブの脱落を防ぐストッパー
４．ハンガー本体
５．フック
６．つぶされ平面化されたフック部
【図１】
2007050208.tif 000003
【図２】
2007050208.tif 000004
【図３】
2007050208.tif 000005
【図４】
2007050208.tif 000006
【図５】
2007050208.tif 000007
(57)【要約】      （修正有）【課題】  原稿を見ながら、ワープロやパソコンなどに文字を入力する際に、原稿の角度によって文字が見ずらかったり、冊子の場合、頁がめくれたり、倒れたりして安定した置き方に難点が生じてしまうという不都合を解決すること。【解決手段】  原稿スタンドの背もたれ板２の他に、原稿の厚さにより、スライドさせる原稿受け台１と、立てかけた原稿の角度を調整する支柱板３などにより、この課題を解決する。【選択図】図１
2007050203.tif 000002
【特許請求の範囲】
【請求項１】
原稿の厚さによって、原稿受け台が自由に調整でき、併せて頁が、めくれないように、ストツパーとしての役割も果たせるよう原稿受け台をスライド式にしたことを特徴とする原稿スタンド。
【請求項２】
原稿の大小や、照明による乱反射によって原稿が見えずらくなるのを防ぐために、支柱板を上下させ、角度を変えさせることが出来ることを特徴とする原稿スタンド。
【発明の詳細な説明】
【技術分野】
【０００１】  本発明は、原稿スタンドに関するものであり、原稿を見ながらワープロやパソコンなどに文字を入力する際に、原稿の厚さや角度を調整することによって見やすく簡単に、その作業を行うことが出きるようにしたものである。
【背景技術】
【０００２】  本発明に関して、特許文献や、非特許文献に開示されているものがあるかどうかについては承知しておりません。
【発明の開示】
【発明が解決しようとする課題】
【０００３】  従来、ワープロやパソコンなどに文字を入力する際は、原稿を机上に平に置いたり、原稿の後ろ側に辞典のような重量感のあるものを立てかけたりしての作業が行われてきたが途中で、頁がめくれてしまったり、倒れてしまったり、又は、思うような角度に固定することができなかったりの難点が生じました。
このような状態で、文字入力を行うことの不都合を解決することを課題とする。
【課題を解決するための手段】
【０００４】  この課題を解決するための請求項１の発明は、原稿スタンドに原稿を立て掛けた時に、原稿受け台をスライドすることによって原稿の厚さを自由に調整することができ、原稿のずり落ちを防止することができる。【０００５】  また、請求項２の発明は、原稿の大小や、照明による乱反射によって原稿が見えずらくなるのを防ぐために、支柱板を上下に移動させ、角度を変えさせることを特徴とする角度自在スタンドである。
【発明の効果】
【０００６】  本発明により、ワープロやパソコンなどに文字入力をする際、原稿を立て掛けた時に、これまでのような頁のめくれや、ずり落ちの心配が解消され、又、文字入力者が角度や、光の反射などによって原稿の文字が見えにくいような場合には、自由に原稿スタンドの角度を設定することができ、作業効率を向上させることができる。
【発明を実施するための最良の形態】
【０００７】  図１は、本発明の斜視図である。原稿となる本や書類などを立てかける際に原稿の厚さと角度を調整し、見やすいような状態にできることを特徴としたものである。図面に示すように、原稿の厚さ、角度を自由自在に設定することにより、安定した文字入力作業をすることができる。【０００８】  図２は、本発明の断面図である。あらかじめ、原稿の背もたれ部分に傾斜を付けておき、大抵の場合は原稿を立てかけた時点で即、文字入力作業に掛かれるような適度の角度にしてある。【０００９】  これら原稿スタンドの材料は、プラスチック、ステンレス、木板、アルミニュウムなどの通常のものでよい。
【産業上の利用可能性】
【００１０】  本発明に係る原稿スタンドは、工業的に量産することが可能であるため、産業上の利用可能性を有する。
【図面の簡単な説明】
【００１１】
【図１】  原稿を立てかける際の、スライド式原稿受け台と、角度調整支柱板を設けた原稿スタンドの斜視図である。
【図２】  原稿スタンド全体を、切り欠いた断面図である。
【図３】  原稿スタンドの分解図である。
【符号の説明】
【００１２】  １    原稿の厚さにより、スライドさせる原稿受け台。
２    原稿背もたれ板。
３    立てかけた原稿の角度を調整する支柱板。
４    原稿背もたれ板と、支柱板を固定させるダイヤル。
５    ネジ溝。
６    ネジ山の付いた円柱。
【図１】
2007050203.tif 000003
【図２】
2007050203.tif 000004
【図３】
2007050203.tif 000005
(57)【要約】【課題】分割生産型合成樹脂製衣料用ハンガーにおいて本体１前後双方の結合を強化して、合成樹脂製衣料用ハンガーに発生しがちな衣料の滑り落ちを防ぐことである。【解決手段】ハンガーの本体１前後双方の内側に設置されたリブ３を嵌合させる。さらに、一体化した後、エラストマー５で覆われた別パーツ４を適当な幅で袖部の一部に溶着することにより、嵌合を強化するとともに、エラストマー５の特性により衣類の滑り落ちを防ぐことである。【選択図】    図２
2007050210.tif 000002
【特許請求の範囲】
【請求項１】
本体が前後に分割された部材で構成される曲線を持つ合成樹脂製衣料用ハンガーにおいて、その本体前部，後部の内側に複数のリブを設置し，そのリブを嵌合させることにより本体前後の双方を結合させる機構を持たせる。また、その本体前後の双方の結合をさらに強化するため結合された本体袖部に別素材をエラストマーで覆った別パーツを溶着して、嵌合され一体化した本体の結合強度を高め、かつ、その別パーツを覆っているエラストマーの持つ抵抗により衣類が滑り落ちることを防ぐ機能を持つ合成樹脂製衣料用ハンガー。
【発明の詳細な説明】
【技術分野】
【０００１】    合成樹脂製衣料用ハンガーの機構に関する。
【背景技術】
【０００２】      合成樹脂製衣料用のハンガーについて多種多様の商品が開発されているが、一体型が主流の上、衣類の固定についても見直しがされてきている。合成樹脂製品については滑りやすいため、表面にエンボス加工等を施し、滑り止め効果を追求してきていた。
【発明の開示】
【発明が解決しようとする課題】
【０００３】        解決しようとする課題は、合成樹脂製衣料用ハンガーにおいて分割された構造を持つ製品は、結合が不十分になりやすく、また、本体表面が滑りやすいため、衣類が滑り落ちてしまうという不具合が生ずる傾向にある。そのため、分割された本体の結合を高めると共に、掛けられた衣類を滑り落ちにくくすることが必要である。
【課題を解決するための手段】
【０００４】        分割型合成樹脂製衣料用の結合を強化するため、前部、後部を嵌合させた衣料用ハンガー本体１袖部の一部にエラストマー５で覆いをつけた別パーツ４を溶着することにより、嵌合の強化と共に、そのエラストマー５の持つ特性を活用して衣類を滑り落ちにくくすることである。
【発明の効果】
【０００５】        分割生産方式のため、成形時間の短縮が図れて生産原価の削減を可能にする。また，中空機構で原材料の節約もできる。【０００６】        本体１の前部、後部を嵌合した後、エラストマー５で覆いをつけた別パーツ４を本体１の袖部に溶着することにより、本体１前後双方の結合の緩みを防ぐ。又、エラストマー５の持つの特性により掛けてある衣類が滑り落ちるのを防ぐ効果も得られる。
【実施例】
【０００７】      〔図１〕のような、本体１前部、後部からなる合成樹脂製衣料用ハンガーで、本体１前後双方に複数のリブ３を設置して、それらのリブ３を嵌合させ衣料用ハンガー本体１を一体化させる。【０００８】      〔図２〕のように衣料用ハンガー本体１を本体１前後双方内側の左右袖部に設置されたリブ３を嵌合させ一体化した後、結合強度を補強するためにエラストマー５で覆われた別パーツ４を本体１前後双方を嵌合させてから本体袖部に一部に溶着する。【０００９】        エラストマー５で覆われた別パーツ４は適度な幅で本体１袖部先端付近に溶着して、その覆っているエラストマー５の持つ抵抗により掛けられた衣類が滑り落ちる欠点を補う役割を持たせる。【００１０】        本体１前後双方のリブ３だけでは結合強度に不安が残るため、エラストマー５で覆われた別パーツ４を本体１袖部の一部に溶着することにより、完全な一体型衣料用ハンガー本体１を形成することを可能にする。
【図面の簡単な説明】
【図１】分割生産型合成樹脂製衣料用ハンガーの本体１前後双方を、嵌合一体化するためのリブ３位置を表示する図である。
【図２】一体化された合成樹脂製衣料用ハンガー本体１にエラストマー５で覆われた別パーツ４を溶着した図である。
【図３】エラストマー５で覆われた別パーツ４をハンガー本体１に溶着したときの断面図で、そのエラストマー５で覆われた別パーツ４の構成を表す図である。
【符号の説明】
１．衣料用ハンガー本体          ４．エラストマーで覆いをつけた別パーツ
２．ハンガー取っ手              ５．エラストマー
３．嵌合用リブ                  ６．別パーツ基部材
【図１】
2007050210.tif 000003
【図２】
2007050210.tif 000004
【図３】
2007050210.tif 000005
(57)【要約】【課題】分割生産型合成樹脂製衣料用ハンガーにおいて本体１前部、後部双方の結合を強化して、合成樹脂製衣料用ハンガーに発生しがちな衣料の滑り落ちを防ぐことである。【解決手段】ハンガーの本体１前後双方の内側に設置されたリブ３を嵌合させる。さらに、一体化した後、熱収縮チューブ４を適当な幅で、結合された本体１の袖部の一部に装着することにより、結合を強化するとともに、熱収縮チューブ４の特性により衣類の滑り落ちを防ぐことである。【選択図】    図１
2007050209.tif 000002
【特許請求の範囲】
【請求項１】
本体が前後に分割された部材で構成される曲線を持つ合成樹脂製衣料用ハンガーにおいて、その本体前部、後部の内側に複数のリブを設置し，そのリブを嵌合させることにより本体前部、後部双方を結合させて一体化する機構を持たせる。また、その本体前後双方の結合をさらに強化するために熱収縮チューブで、嵌合され一体化した本体の袖部の一部を覆い結合強度を高め、さらに、その熱収縮チューブの持つ抵抗により衣類が滑り落ちることを防ぐ機能を持つ合成樹脂製衣料用ハンガー。
【発明の詳細な説明】
【技術分野】
【０００１】    合成樹脂製衣料用ハンガーの機構に関する。
【背景技術】
【０００２】      合成樹脂製衣料用のハンガーについて多種多様の商品が開発されているが、一体型が主流の上、衣類の固定についても見直しがされてきている。合成樹脂製品については滑りやすいため、表面にエンボス加工等を施し、滑り止め効果を追求してきていた。
【発明の開示】
【発明が解決しようとする課題】
【０００３】        解決しようとする課題は、合成樹脂製衣料用ハンガーにおいて分割された構造を持つ製品は、嵌合が不十分になりやすく、また、本体表面が滑りやすいため、衣類が滑り落ちてしまうという不具合が生ずる傾向にある。そのため、分割された本体の結合を高めると共に、掛けられた衣類を滑り落ちにくくすることが必要である。
【課題を解決するための手段】
【０００４】        分割生産方式の合成樹脂製衣料用の嵌合を強化するため、前部、後部双方を嵌合させた本体１袖部の一部を熱収縮チューブ４で覆うことにより、結合を強化すると共に、その熱収縮チューブ４の持つ特性を活用して衣類を滑り落ちにくくすることができる。
【発明の効果】
【０００５】        分割生産方式のため、成形時間の短縮が図れて生産原価の削減を可能にする。また，中空機構で原材料の節約もできる。【０００６】        本体１前部、後部を嵌合した後、熱収縮チューブ４を結合された本体１の袖部に装着することにより、本体１前後双方の結合の緩みを防ぐ。又、熱収縮チューブ４の持つの特性により掛けてある衣類が滑り落ちるのを防ぐ効果も得られる。
【実施例】
【０００７】      〔図２〕のような、本体１前部、後部からなる合成樹脂製衣料用ハンガーで、本体１前部，後部双方の内側に複数のリブ３を設置して、それらのリブ３を嵌合させ衣料用ハンガー本体１を一体化させる。【０００８】      〔図１〕のように衣料用ハンガー本体１を本体内側の前後双方に設置されたリブ３を嵌合させ一体化した後、結合強度を補強するために熱収縮チューブ４を本体１前後双方を嵌合させてから本体１袖部に装着する。【０００９】        熱収縮チューブ４は適度な幅で袖部先端付近に装着し、その熱収縮チューブ４の持つ抵抗により掛けられた衣類が滑り落ちる欠点を補う役割を持たせる。【００１０】        本体１前後内側のリブ３だけでは結合強度に不安が残るため、熱収縮チューブ４を装着することにより、強度に結合された一体型衣料用ハンガー本体１を形成することを可能にする。
【図面の簡単な説明】
【図１】一体化された合成樹脂製衣料用ハンガー本体１に熱収縮チューブ４を装着した図である。
【図２】分割生産型合成樹脂製衣料用ハンガーの本体１前部、後部を、嵌合一体化するためのリブ３位置を表示する図である。
【符号の説明】
１．衣料用ハンガー本体            ２．ハンガー取っ手
３．嵌合用リブ                    ４．熱収縮チューブ
【図１】
2007050209.tif 000003
【図２】
2007050209.tif 000004
(57)【要約】【課題】    一本のハンガーで多種多様な衣類を型崩れしないように適合する形状で、それらの衣類を掛けられる機構を持つハンガーを供給することである。【解決手段】    ハンガー袖部先端部を回転させて、肩厚を調整できる構造を持たせる。そのために、袖部先端部を分割部材として設置する。なおかつ、袖部を先端方向にスライドでき、肩幅を調整できる構造を備える。そのために、袖部中間位置に格納式中間部材を設置して、その上を袖部中間部材と袖部先端部材が同時にスライドできるようにする。肩幅が設定された後、位置決めストッパーにて肩幅の長さを固定する。【選択図】    図６
2007050207.tif 000002
【特許請求の範囲】
【請求項１】
衣料用ハンガーの機構において、袖部先端部を９０度回転調節させ、厚手の生地向けにその部分の肩厚を上げる。また、同様にして、薄手の生地向けにその袖部先端部を再度回転させて肩厚を下げるように調節する。このように、掛けられる衣類の生地厚や重量により、袖部先端部を回転することにより選択して、衣類の型崩れを防ぐ効果をもつプラスティック製衣料用伸縮ハンガー。
【請求項２】
〔請求項１〕の衣料用ハンガーにおいて、本体袖部両側の中間位置にそれぞれ格納式部材を設け、それらの格納式部材上を両袖部中間部と袖部先端部が同時にスライドすることにより、男性用、女性用、そして子供用と衣類により肩幅サイズの調整を可能にした〔請求項１〕プラスティック製衣料用伸縮ハンガー。
【発明の詳細な説明】
【技術分野】
【０００１】        プラスティック製衣料用伸縮ハンガーの機構に関する。
【背景技術】
【０００２】        従来のプラスティック製衣料用ハンガーでは掛けられる衣料の種類により、各用途に対応させるため多種多様におおくの種類を生産している。
【発明の開示】
【発明が解決しようとする課題】
【０００３】        プラスティック製衣料用ハンガーを使用目的により多種類備えなければならなかった不都合を、一本で全ての用途に対応できる機構を持つ衣料用ハンガーを供給することである。
【課題を解決するための手段】
【０００４】        衣料用ハンガーの袖部先端部３を９０度回転させて、本体の肩厚を調節して生地厚や重量の違う衣料に対応が出来るようにする。【０００５】        衣料用ハンガーの左右袖部の中間部分に格納式部材６を設け、その格納式部材６上を袖部中間部４と袖部先端部３が同時にスライドさせることにより調節し、衣類の肩幅に対応させる。
【発明の効果】
【０００６】        衣料用ハンガーの本体肩厚と本体肩幅の調節を自在にできることにより、一本の衣料用ハンガーで男性用、女性用それに子供用と、サイズ、生地厚、重量の違うものに対応でき、多種類のハンガーを備え無ければならないという不都合を解決できる。【０００７】        掛けられる衣料の性質により、衣料用ハンガーの本体肩厚、本体肩幅が調節できることにより、掛けられる衣料の型崩れを防止することができる。
【実施例】
【０００８】        〔図１〕のように通常の形体を持つプラスティック製衣料用ハンガーの袖部先端部３を９０度回転させて、〔図２〕のように肩厚を上げることにより、重量のある衣類や生地厚の大きい衣類の小さなサイズ品を掛けることができます。【０００９】        〔図３〕のように、主として女性用の薄い生地の衣類を干しやすくするため、袖部先端部３を通常位置に設置して、肩厚を下げて、袖部中間部４と袖部先端部３を同時に先端方向へスライドさせ、位置決め用ストッパー５を使用して肩幅を衣類に適合する位置に設定する。【００１０】      〔図４〕においては、袖部先端部３を９０度回転させて肩厚を上げて、〔図３〕の肩幅位置に設定して、主として、女性用の重量のある厚手の衣類を掛けられるように設定する。【００１１】      〔図５〕と〔図６〕袖部中間部４と袖部先端部３を同時に格納式部材６の上を最大位置までスライドさせ、位置決め用ストッパー５で固定します。これにより、〔図５〕ではワイシャツのような男性用の生地の薄い衣類を干すことができます。また、〔図６〕のように、袖部先端部３を９０度回転させて、肩厚を上げることにより、ジャケットやコート等の重量のある厚手の生地の衣類を干せます。【００１２】      〔図１〕〔図３〕及び〔図５〕を比較してみると、袖部中間部分に設置した格納式部材６の長さの調節でハンガー本体１の肩幅の大きさが判断できる。
【図面の簡単な説明】
【図１】本体肩厚と本体肩幅を最小値に設定したときの図である。
【図２】本体肩厚を最大値、肩幅を最小値に設定したときの図である。
【図３】本体肩厚を最小値、肩幅を中間値に設定したときの図である。
【図４】本体肩厚を最大値、肩幅を中間値に設定したときの図である。
【図５】本体肩厚を最小値、肩幅を最大値に設定したときの図である。
【図６】本体肩厚と本体肩幅を最大値に設定したときの図である。
【符号の説明】
１．  ハンガー本体
２．  フック
３．  袖部先端部
４．  袖部中間部
５．  位置決め用ストッパー
６．  格納式部材
【図１】
2007050207.tif 000003
【図２】
2007050207.tif 000004
【図３】
2007050207.tif 000005
【図４】
2007050207.tif 000006
【図５】
2007050207.tif 000007
【図６】
2007050207.tif 000008
(57)【要約】      （修正有）【課題】長時間、口内に薬液、清涼水、水等を投与するための供給液システムを提供する。【解決手段】内側が布、紙、合成樹脂等で、外側が合成樹脂のストローでできているＬ字型供給クリップを口に含ませ、液体用容器から毛管現象及び表面張力を利用して液体を運ぶシステムである。液体用容器のキャップ部の絞りにより、流量調整し、長時間液体投与を続けることができる。【選択図】図１
2007050206.tif 000002
【特許請求の範囲】
【請求項１】
［図１］Ｃの液体用容器からＡのＬ字液供給クリップ先端まで、毛細管現象及び表面張力を利用して液体を運ぶ液体供給システムである事。
【請求項２】
図５の筒内部の液体を流す素材が、毛細管現象及び表面張力を現象せしめる布、紙、合成繊維等で出来ているＬ字液供給クリップ。
【請求項３】
図５のＬ字液供給クリップの液体を流す筒の素材はストローあるいは合成樹脂で出来たストロー状のものであり、中央部は蛇腹になり、自由に曲げる事が出来るＬ字液供給クリップ。
【請求項４】
［図１］Ｃの液体用容器からＥのＬ字液供給クリップの先端まで、毛細管現象及び表面張力を利用した液体供給量は、液体用容器Ｅのキャップ部の絞りにより流量調整機能を有した液体供給システムである事。
【請求項５】
［図２］Ｋの保水帯が布、紙、合成繊維等で出来ていて、液体を蓄える能力があり、袋Ｍが柔らかな、ビニール等の合成樹脂袋で出来た液体供給袋である事。
【請求項６】
上記請求項１から５の機能及び構造を有したシステムは、液供給容器が、頬や顎にセットされ、そこから管を通して液供給を行うコンパクトで簡単に使用出来るのが特徴の液体供給システムである事。
【発明の詳細な説明】
【技術分野】
【０００１】長時間、口内に薬液、清涼剤、水等を投与する為の供給液セットです。［背景技術］整理番号０１０で特許申請の点鼻薬供給システムを口内用に応用しました。［発明の開示］［発明が解決しようとする課題］【０００２】睡眠時、口呼吸やドライマウスにより口内が乾燥すると、口内がねばねばし、口臭も発生して不快です。不衛生ですし、安眠も妨げます。［課題を解決するための手段］【０００３】睡眠している間、あるいはドライマウス等の口内治療期間中、口内に長時間少量ずつ、薬、清涼剤、水等の液体を投与し続ける事により、口内の乾きを防ぎ、衛生状態を保ち、薬使用の場合は治療状態を続けます。［発明を実施する為の最良の形態］【０００４】液体の供給は口内の頬の内側あるいは歯茎に行う方式とします。図１ＡのＬ字液供給クリップの内側は布、紙、合成繊維等で出来ており、液体用容器から毛細管現象及び表面張力を利用して液体を運びます。【０００５】図１ＢのＬ字液供給クリップの外側はストローあるいは、合成樹脂で出来たストロー状の物で、中央は蛇腹になっていて、折り曲げ自由になっています。図１ＡからＨまで口に含みますが、ＨからＦまでの部分は、口元や頬に当たる部分で、口元や頬が液体で濡れないようになっています。【０００６】図１ＡＢをＨの位置あたりまで口に含み、頬の内側と歯の間に収めます。図１Ｃにある液体が、ＧからＡまで、液体用容器から毛細管現象及び表面張力を利用して運ばれます。【０００７】図１Ｈは折り曲げ自由ですので、図２Ｌの様に曲げて使えます。【０００８】図１Ｃの液体用容器は頬に図１Ｄのテープで貼り付けます。【０００９】液体用容器からの液量を図１Ｅのつまみでリードの図１Ｆ部を絞って流量を調整します。【００１０】より小型な液体用容器としては、図２の保水能力のある袋状のものを使用します。図２のＫは布、紙、合成繊維等を折りたたんだものです。液を保水します。【００１１】図２のＩはクリップです。液漏れ防止及び流量を絞ります。【００１２】図２のＪは貼り付けテープです。これで頬に張ります。小さく薄いので張り易く目立ちません。［発明の効果］口内をさわやか、衛生にします口中に水や清涼剤液を流すことにより、それ自体が口中を潤しますがその刺激により、唾液の分泌を促し、口中を衛生状態に保ちます。清涼剤液を使用すれば、口中をさわやかに出来ます。長時間使用出来ます。液体用容器の絞りにより、長時間液体投与を続ける事が出来ます。薬の投与に利用出来ます。ドライマウス等の口内の治療薬投与に使用すれば、長時間の安定した治療が出来ます。セットが楽です。液体用容器を小さく作りましたので、頬や首、顎等にセット出来、邪魔になりません。もっと小さいのが希望の時は、袋状の袋液体用容器を使用します。その場合、押さえテープをバンドエイド状の物を使用すれば液体用容器が目立たず、見た目の抵抗も減ります。
【図面の簡単な説明】
【００１３】
【図１】使用形態図１液体用容器から液体を供給する場合の実際の使用図です。
【図２】使用形態図２袋液体用容器から液体を供給する場合の実際の使用縦回転図です。例１を口に含みＪを頬に貼ります。ＬはＬ字液供給クリップの深く曲げた場合の例です。
【図３】液体用容器１液体用容器からの図及び左側面図です。透明のものです。
【図４】袋液体用容器使用形態図２に使用の袋液体用容器です。
【図５】Ｌ字液供給クリップＬ字液供給クリップの上部からの図及び側面図です。
【図１】
2007050206.tif 000003
【図２】
2007050206.tif 000004
【図３】
2007050206.tif 000005
【図４】
2007050206.tif 000006
【図５】
2007050206.tif 000007
(57)【要約】【課題】分割生産型合成樹脂製衣料用ハンガーにおいて本体上部と本体下部の結合を強化して、合成樹脂製衣料用ハンガーに発生しがちな衣料の滑り落ちを防ぐことである。【解決手段】ハンガーの本体上部内側にリブを設置して、本体下部内側に設置された受けリブと嵌合させる。さらに、一体化した後、エラストマーの装着された別パーツを結合された本体１の袖部に溶着することにより、結合を強化するとともに、装着されたエラストマーの持つ抵抗により衣類の滑り落ちを防ぐことである。【選択図】    図３
2007050212.tif 000002
【特許請求の範囲】
【請求項１】
本体上部と本体下部とで構成される曲線を持つ合成樹脂製衣料用ハンガーにおいて、その本体上部の内側に複数のリブを設置し，本体下部の内側に本体上部内側に設置されているリブを受け入れるための複数の受けリブを設ける。それらのリブと受けリブを嵌合させて本体上部、下部を固定する機構を持つ合成樹脂製衣料用ハンガーで、本体上部と本体下部の結合をさらに強化するために、結語された本体上部と本体下部の袖部に別素材にエラストマーを装着した別パーツを溶着して、本体上部と本体下部の結合を強固にする上、装着されたエラストマーの抵抗により服が滑り落ちることを防ぐ機構を持たせた合成樹脂製衣料用ハンガー。
【発明の詳細な説明】
【技術分野】
【０００１】    合成樹脂製衣料用ハンガーの機構に関する。
【背景技術】
【０００２】      合成樹脂製衣料用のハンガーについて多種多様の商品が開発されているが、一体型が主流の上、衣類の固定についても見直しがされてきている。合成樹脂製品については滑りやすいため、表面にエンボス加工等を施し、滑り止め効果を追求してきていた。
【発明の開示】
【発明が解決しようとする課題】
【０００３】        解決しようとする課題は、合成樹脂製衣料用ハンガーにおいて分割された構造で生産されたものは、結合が不十分な場合が生じ。また、合成樹脂の表面が抵抗値が低いため、衣類が滑り落ち易いという欠点を補う必要があった。
【課題を解決するための手段】
【０００４】        分割生産方式の合成樹脂製衣料用の結合を強化するため、嵌合された本体袖部にエラストマーを装着した別パーツを溶着することにより、結合の強化と共に、その装着されたエラストマーの特性である高抵抗の性質を活用して衣類を滑り落ちにくくすることである。
【発明の効果】
【０００５】        分割生産方式のため、成形による生産時間の短縮が図れて生産経費の削減を可能にする。また，中空機構にすることで原材料の節約もできる。【０００６】        本体の結合をエラストマーが装着された別パーツを本体上部と本体下部にまたがるように溶着することにより、本体上部と本体下部の結合の緩みを防ぐ。又、装着されたエラストマーの特性である高抵抗により掛けてある衣類が滑り落ちるのを防ぐ効果も得られる。
【実施例】
【０００７】      〔図１〕のような、本体上部３と本体下部４からなる合成樹脂製衣料用ハンガーで、本体上部３内側に垂直にリブ５を設置して、本体下部４内側に設置された受けリブ６と嵌合させ衣料用ハンガー本体１を一体化させる。【０００８】      〔図２〕のように衣料用ハンガー本体１を本体上部３と本体下部４を双方に設置されたリブ５．６を嵌合させ一体化させた後、結合強度を補強するためにエラストマーで覆いをつけた別パーツ７を本体上部３と本体下部４を嵌合させた後、袖部の本体上部と本体下部の水平方向の一部にかぶさるように溶着する。【０００９】        エラストマーで覆いをつけた別パーツ７は適度な幅で結合された本体１の袖部先端付近に溶着して、その表面を覆うエラストマーの持つ抵抗により掛けられた衣類が滑り落ちる欠点を補う役割を持たせる。【００１０】        本体上部３のリブ５と本体下部４の受けリブ６では嵌合強度に不安が残るため、エラストマーで覆いをつけた別パーツ７を溶着することにより、完全に固定された衣料用ハンガー本体１を形成することを可能にする。
【図面の簡単な説明】
【図１】分割生産型合成樹脂製衣料用ハンガーの本体上部３と本体下部４が分割されて、嵌合一体化するためのリブ５，６位置を表示する図である。
【図２】一体化された合成樹脂製衣料用ハンガー本体１袖部にエラストマーで覆いをつけた別パーツ７を溶着した図である。
【図３】エラストマー８で覆いをつけた別パーツ７を溶着したときの本体１断面図で、その別パーツ７の構成を表す図である。
【符号の説明】
１．衣料用ハンガー本体          ６．受けリブ
２．ハンガー取っ手              ７．エラストマーで覆いをつけた別パーツ
３．ハンガー本体上部            ８．エラストマー
４．ハンガー本体下部            ９．別パーツ基部材
５．リブ
【図１】
2007050212.tif 000003
【図２】
2007050212.tif 000004
【図３】
2007050212.tif 000005
(57)【要約】【課題】分割生産型合成樹脂製衣料用ハンガーにおいて本体上部と本体下部の結合を強化して、合成樹脂製衣料用ハンガーに発生しがちな衣料の滑り落ちを防ぐことである。【解決手段】ハンガー本体上部の内側にリブを設置して、本体下部内側に設置された受けリブと嵌合させる。さらに、一体化した後、本体袖部に熱収縮チューブを装着することにより、嵌合を強化するとともに、熱収縮チューブの持つ抵抗により衣類の滑り落ちを防ぐことである。【選択図】    図１
2007050213.tif 000002
【特許請求の範囲】
【請求項１】
本体上部と本体下部とで構成される曲線を持つ合成樹脂製衣料用ハンガーにおいて、その本体上部の内側に複数のリブを設置し，本体下部の内側に本体上部内側に設置されているリブを受け入れるための複数の受けリブを設け、それらのリブと受けリブを嵌合させて本体上部、下部を固定する機構を持つ合成樹脂製衣料用ハンガーで、上部本体と下部本体の固定をさらに強化するために結合された本体の袖部に熱収縮チューブを装着して、上部本体と下部本体の嵌合を強固にする上、熱収縮チューブの抵抗により服が滑り落ちることを防ぐ機構を持たせた合成樹脂製衣料用ハンガー。
【発明の詳細な説明】
【技術分野】
【０００１】    合成樹脂製衣料用ハンガーの機構に関する。
【背景技術】
【０００２】      合成樹脂製衣料用のハンガーについて多種多様の商品が開発されているが、一体型が主流の上、衣類の固定についても見直しがされてきている。合成樹脂製品については滑りやすいため、表面にエンボス加工等を施し、滑り止め効果を追求してきていた。
【発明の開示】
【発明が解決しようとする課題】
【０００３】        解決しようとする課題は、合成樹脂製衣料用ハンガーにおいて分割された構造で生産される製品の嵌合を強固にし、合成樹脂製のハンガーの持つ欠点である衣類が容易に滑り落ちてしまうということを防ぐ機能を持たせることである。
【課題を解決するための手段】
【０００４】        分割生産方式の合成樹脂製衣料用の嵌合を強化するため、嵌合された本体袖部付近に熱収縮チューブを巻きつけることにより、嵌合の強化と共に、その熱収縮チューブの特性である高抵抗の性質を活用して衣類を滑り落ちにくくすることである。
【発明の効果】
【０００５】        分割生産方式のため、製品の成形時間の短縮が図れて生産経費の削減を可能にして減価削減を容易にする。また，中空機構で原材料の節約もできる。【０００６】        本体の結合を熱収縮チューブで袖部を覆うことにより、本体上部と下部の嵌合の緩みを防ぎ、さらに、熱収縮チューブの特性である高抵抗により掛けてある衣類が滑り落ちるのを防ぐ効果も得られる。
【実施例】
【０００７】      〔図２〕のような、本体上部３と本体下部４からなる合成樹脂製衣料用ハンガー１で、本体上部３の内側に垂直にリブ５を設置して、本体下部４の内側に設置された受けリブ６と嵌合させ衣料用ハンガー本体１を一体化させる。【０００８】      〔図１〕のように衣料用ハンガー本体１を本体上部３と本体下部４を双方に設置されたリブ５．６を嵌合させ一体化させた後、結合強度を補強するために熱収縮チューブ７を本体上部３と本体下部４を嵌合後、本体１袖部に装着する。【０００９】        熱収縮チューブ７は適度な幅で袖部先端付近に装着して、その熱収縮チューブの持つ抵抗により掛けられた衣類が滑り落ちる欠点を補う役割を持つ。【００１０】        本体上部３のリブ５と本体下部４の受けリブ６では嵌合強度に不安が残るため、熱収縮チューブ７を結語された袖部に装着することにより、完全な一体型衣料用ハンガー本体１を形成することを可能にする。
【図面の簡単な説明】
【図１】一体化された合成樹脂製衣料用ハンガー本体袖部に熱収縮チューブを装着した時の図である。
【図２】分割生産型合成樹脂製衣料用ハンガーの本体上部と本体下部が分割されて、嵌合一体化するためのリブ位置を表示する図である。
【符号の説明】
１．衣料用ハンガー本体            ６．受けリブ
２．ハンガー取っ手                ７．熱収縮チューブ
３．ハンガー本体上部
４．ハンガー本体下部
５．リブ
【図１】
2007050213.tif 000003
【図２】
2007050213.tif 000004
(57)【要約】【課題】まな板を使用する際の滑りや、作業台と直接接触している面を使用するときに、その度に洗浄しなければならないという難点を解決するため、着脱式のまな板用滑り止めを提供する。【解決手段】用途に合わせ、まな板の左右または上下のどちらかに滑り止めを装着することによって、まな板を作業台からわずかに浮かせ、滑り止めの表面の滑り止め加工により、まな板を滑りにくく固定させる。【選択図】図２
2007050217.tif 000002
【特許請求の範囲】
【請求項１】
まな板を作業台からわずかに浮かせて、衛生的かつ効率的に両面使用を可能にし、滑りにくいように固定するための、着脱式を特徴とする、まな板用滑り止め。
【請求項２】
請求項１記載のまな板用滑り止めは、一般的に流通しているまな板にしっかりと装着できるよう、ゴムやその他の多少伸縮性のある素材を特徴とする。
【請求項３】
請求項１記載のまな板用滑り止めは、様々な角度で使用する際でも対応できるよう、円柱状とすることを特徴とする。
【請求項４】
請求項１記載のまな板用滑り止めは、まな板の左右または上下に装着するため、個別に形成された二つの部材を一組として構成することを特徴とする。
【請求項５】
請求項１記載のまな板用滑り止めは、表面が滑り止め加工されていることを特徴とする。
【発明の詳細な説明】
【技術分野】
【０００１】本発明は、まな板を滑りにくくするとともに、作業台からわずかに浮かせることによって衛生的かつ効率的に両面使用でき、なおかつ、着脱式という特徴を活用し、様々な用途で使用できるようにした、まな板用の滑り止めの形状に関する。
【技術背景】
【０００２】従来は、作業台から僅かに浮かせることによりまな板の両面を衛生的に利用でき、また、様々な角度で使用する際にも対応できるような円柱状の形状の着脱式のまな板用滑り止めはなかった。
【０００３】
【特許文献１】  特開２００３−２３５７４２号公報
【発明の開示】
【発明が解決しようとする課題】
【０００４】まな板を使用する際、滑って作業しづらいという難点があった。また、使用していない側の面は作業台等に直接接触しているため、その面を使用するにはその度に洗浄しなければならないという難点があった。本発明は、この難点を解決するために提供することを課題とする。
【課題を解決するための手段】
【０００５】以上の難点を解決するため、まな板の左右または上下どちらかに装着することにより、まな板を作業台から僅かに浮かせて、衛生的かつ効率的に両面を使用でき、表面の滑り止め加工により、まな板を滑りにくいよう固定できる、円柱状の形状をした着脱式を特徴とする、まな板用滑り止めを発明した。
【発明の効果】
【０００６】図１に示すゴムやその他の伸縮性のある素材で出来た円柱を、一般的なまな板を挟み込めるようくり抜いた本発明品を、用途に合わせて、図２に示すようにまな板の左右または図３に示すようにまな板の上下に装着すれば、表面の滑り止め加工により、まな板が滑りにくくなり作業しやすい。
しかも、作業台からわずかに浮いているため、反対の面を使用する際も、その度に洗浄することなく清潔に使用できる。
また、着脱式であることから、手持ちの一般的な家庭用のまな板に装着可能で、衛生面からいっても、まな板も滑り止めも外してそれぞれに洗浄できるため、清潔を保てる。
他に、着脱式で円柱状の形状という特徴を活かし、図４に示すように、片側一つだけを装着して、まな板に傾斜をつけることにより、水分を多く含む食品を切るときに便利に使用できる。
また、まな板を立て掛けて保管する際の滑り止めとしても活用できる。
【図面の簡単な説明】
【０００７】
【図１】本発明の斜視図である。
【図２】本発明の使用状態を示す図である。
【図３】本発明の使用状態を示す図である。
【図４】本発明の使用状態を示す図である。
【符号の説明】
【０００８】１  まな板
【図１】
2007050217.tif 000003
【図２】
2007050217.tif 000004
【図３】
2007050217.tif 000005
【図４】
2007050217.tif 000006
(57)【要約】【課題】分割生産型合成樹脂製衣料用ハンガーにおいて本体上部と本体下部の嵌合を強化して、合成樹脂製衣料用ハンガーに発生しがちな衣料が滑り落ちることを防ぐことである。【解決手段】分割されたハンガー本体上部の内側にリブを設置して、本体下部に設置された受けリブと嵌合させる。さらに、一体化した後、高抵抗の薄い皮膜を本体袖部に巻きつけることにより、嵌合を強化するとともに、薄い皮膜の抵抗により衣類の滑り落ちを防ぐことである。【選択図】    図１
2007050214.tif 000002
【特許請求の範囲】
【請求項１】
本体上部と本体下部とで構成される曲線を持つ合成樹脂製衣料用ハンガーにおいて、その本体上部の内側に複数のリブを設置し，本体下部の内側に本体上部内側に設置されているリブを受け入れるための複数の穴を設け、それらのリブと穴を嵌合させて本体の上部、下部を固定する機構を持つ合成樹脂製衣料用ハンガーで、本体上部と本体下部の結合をさらに強化するために嵌合された本体上部と下部を高抵抗の薄い皮膜で覆い、本体上部と本体下部の嵌合を強固にする上、覆われた薄い皮膜により服が滑り落ちることを防ぐ機構を持たせた合成樹脂製衣料用ハンガー。
【発明の詳細な説明】
【技術分野】
【０００１】      合成樹脂製衣料用ハンガーの機構に関する。
【背景技術】
【０００２】      合成樹脂製衣料用のハンガーについて多種多様の商品が開発されているが、一体型が主流の上、衣類の固定についても見直しがされてきている。合成樹脂製品については滑りやすいため、表面にエンボス加工等を施し、滑り止め効果を追求してきていた。
【発明の開示】
【発明が解決しようとする課題】
【０００３】        解決しようとする課題は、合成樹脂製衣料用ハンガーにおいて分割された構造で、製品の成形に要する時間を短縮して生産効率を高め、その上に追加部材の薄い皮膜で本体袖部の一部を覆い、分割された本体の結合を高めると共に、合成樹脂製ハンガーの欠点である、衣類が滑り落ちやすいことを防ぐことである。
【課題を解決するための手段】
【０００４】        分割生産方式の合成樹脂製衣料用の嵌合を強化するため、嵌合された本体上部と下部の袖部に高抵抗の薄い皮膜を巻きつけることにより、嵌合の強化と共に、その薄い皮膜の特性である高抵抗の性質を活用して衣類を滑り落ちにくくすることである。
【発明の効果】
【０００５】        分割生産方式のため、生産時間の短縮が図れて原価の削減を可能にする。また，中空機構で原材料の節約もできる。【０００６】        本体の嵌合を薄い皮膜で覆うことにより、本体上部と下部の結合の緩みを防ぎ、さらに、皮膜の特性である高抵抗により掛けてある衣類がずり落ちる不便さを防ぐ効果も得られる。
【実施例】
【０００７】      〔図２〕のような、本体上部３と本体下部４からなる合成樹脂製衣料用ハンガー１で、本体上部３に垂直にリブ５を設置して、本体下部４に設置された受けリブ６と嵌合させ衣料用ハンガー本体１を一体化させる。【０００８】      〔図１〕のように衣料用ハンガー本体１を、本体上部３と本体下部４の双方に設置されたリブ５．６を嵌合させ一体化させた後、嵌合強度を補強するために高抵抗の薄い皮膜７を一体化された本体１の袖部に巻きつける。【０００９】        高抵抗の薄い皮膜７は適度な幅で複数箇所に巻きつけ、その特徴である高抵抗により掛けられた衣類が滑り落ちる欠点を補う役割が得られる。【００１０】        本体上部３のリブ５と本体下部４の受けリブ６では嵌合強度に不安が残るため、高抵抗の薄い皮膜７を一体化された本体１の袖部に巻きつけることにより、完全な一体型衣料用ハンガーを形成することが可能になる。
【図面の簡単な説明】
【図１】一体化された合成樹脂製衣料用ハンガー本体の袖部に高抵抗の薄い皮膜を巻きつけた図である。
【図２】分割生産型合成樹脂製衣料用ハンガーの本体上部と本体下部が分割されて、嵌合一体化するためのリブ位置を表示する図である。
【符号の説明】
１．衣料用ハンガー本体            ５．リブ
２．ハンガー取っ手                ６．受けリブ
３．ハンガー本体上部              ７．高抵抗の薄い皮膜
４．ハンガー本体下部
【図１】
2007050214.tif 000003
【図２】
2007050214.tif 000004
(57)【要約】【課題】外周にダイヤモンド砥粒を電着したすり割があるリングに直径方向に働く力が不均衡に作用する事を防止する。【解決の手段】外周にダイヤモンド砥粒を電着したすり割があるリングの外周に周等分の縦溝を付加した。【選択図】図１
2007050496.tif 000002
【特許請求の範囲】
【請求項１】
外周にダイヤモンド砥粒を電着したすり割が有るリングのすり割に対して周等分の位置に縦溝を付加したことを特徴とした工具。
【発明の詳細な説明】
【技術分野】
【０００１】本発明は、機械部品等の内面を研く工具に関するものである。
【技術背景】
【０００２】従来、図アーバー（１）に、外周にダイヤモンド砥粒を電着したすり割があるリング（２）を挿入した工具があった。
【発明の開示】
【発明が解決しようとする課題】
【０００３】しかしながら以上の技術によればスリ割の幅の影響を受けてスリ割側に微小の押し付ける力が働く。そこで、本発明は、この問題を解決することを課題とする。
【問題を解決するための手段】
【０００４】以上の課題を解決するために、第一発明は、スリ割側に押し付ける力を除去することを特徴とする。
また、第２発明は、スリ割側に押し付ける力を除去するために外周に縦溝を周等分に１個以上付加したことを特徴とする。
【発明の効果】
【０００５】第一発明、又は第２発明によれば、外周にダイヤモンド砥粒を電着したすり割があるリングに１個以上縦溝を周到分に付加したことによって直径方向の働く力を均等にする効果がある。
【発明を実施するための最良の形態】
【０００６】以下、本発明の実施の形態について説明する。
（イ）外周にダイヤモンド砥粒を電着したスリ割があるリング（２）に周等分に１個以上の溝を付加する。
本発明は以上のような構成で、外周にダイヤモンド砥粒を電着したすり割があるリング（２）に直径方向に働く力が均等になりスリ割方向に押し付けるのを防止する。
【図面の簡単な説明】
【０００７】
【図１】本発明の組立図
【図２】本発明の部分の拡大図
【符号の説明】
【０００８】１  アーバー
２  外周にダイヤモンド砥粒を電着したすり割があるリング
【図１】
2007050496.tif 000003
【図２】
2007050496.tif 000004